(57)【要約】【課題】  製造性がよく安価で分岐し易い屋内用光ケーブルを提供する。【解決手段】  屋内用光ケーブル１１は、中心抗張力体１２と分離前屋内用光ケーブル集合体１３とを備えて構成される。分離前屋内用光ケーブル集合体１３は、分離すると分離後屋内用光ケーブル１４となるものの連続体であって、中心抗張力体１２の延在方向にのびる光ファイバ１６及び抗張力体１７の対を、中心抗張力体１２の周囲に複数配置した上でこれらを一括被覆することにより製造される。一括被覆により形成された被覆部１８の外周には、複数の外周側分離用ノッチ１９及び心線取出用ノッチ２０が形成される。【選択図】    図１
2006078815.tif 000002
【特許請求の範囲】
【請求項１】
中心抗張力体と該中心抗張力体の周囲に設けられる分離前屋内用光ケーブル集合体とを備えて構成され、
該分離前屋内用光ケーブル集合体は、分離すると分離後屋内用光ケーブルとなるものの連続体であって、前記中心抗張力体の延在方向にのびる光ファイバ及び抗張力体の対を、前記中心抗張力体から所定の間隔で尚かつ前記中心抗張力体の周囲に複数配置した上でこれらを一括被覆することにより成り、
該一括被覆により形成された被覆部の外周には、分離して前記分離後屋内用光ケーブルを得るための複数の外周側分離用ノッチと、分離後に前記分離後屋内用光ケーブルから前記光ファイバを取り出すための複数の心線取出用ノッチとが形成される
ことを特徴とする屋内用光ケーブル。
【請求項２】
請求項１に記載の屋内用光ケーブルにおいて、
前記被覆部の内周は、前記中心抗張力体との間に空間を形成するような溝を有し、該溝は、分離後の前記分離後屋内用光ケーブルに対する内周側分離用ノッチとしての機能を有する
ことを特徴とする屋内用光ケーブル。
【発明の詳細な説明】
【技術分野】
【０００１】
本発明は、光通信に用いられる屋内用光ケーブルに関する。
【背景技術】
【０００２】
従来の屋内用光ケーブルとしては、下記特許文献１に開示されたものが知られている。図２において、下記特許文献１に開示された従来の屋内用光ケーブル１は、中心抗張力体２と複数の光インドアケーブル及びコードユニット３とを備えて構成されている。中心抗張力体２は、抗張力体４の外周に樹脂被覆５を施すことにより形成されている。このような中心抗張力体２の外周には、複数の光インドアケーブル及びコードユニット３が撚り返し率１００％で撚り合わせられている。各光インドアケーブル及びコードユニット３は、光ファイバ６と、その両側に配置される二本の抗張力体７と、これらを並列に配置した状態でＰＶＣによる一括被覆を施した被覆部８とを備えて構成されている。被覆部８の外周には、心線取出用ノッチ９が形成されている。
【特許文献１】特開平１０−３３３０００号公報  （第３頁、第１−２図）
【発明の開示】
【発明が解決しようとする課題】
【０００３】
ところで、上記従来技術にあっては、屋内用光ケーブル１の製造に当たり、中心抗張力体２を形成する工程と、複数の光インドアケーブル及びコードユニット３を形成する工程と、複数の光インドアケーブル及びコードユニット３を中心抗張力体２の外周に撚り合わせる工程の、三つの工程が少なくとも必要になり、製造性がよくないという問題点を有している。また、これに伴い製造コストが嵩んでしまうという問題点を有している。その他、屋内用光ケーブル１は、複数の光インドアケーブル及びコードユニット３を撚り合わせて製造することから、光インドアケーブル及びコードユニット３を取り出すための分岐が容易でないという問題点も有している。
【０００４】
本発明は、上述した事情に鑑みてなされたもので、製造性がよく安価で分岐し易い屋内用光ケーブルを提供することを課題とする。
【課題を解決するための手段】
【０００５】
上記課題を解決するためになされた請求項１記載の本発明の屋内用光ケーブルは、中心抗張力体と該中心抗張力体の周囲に設けられる分離前屋内用光ケーブル集合体とを備えて構成され、該分離前屋内用光ケーブル集合体は、分離すると分離後屋内用光ケーブルとなるものの連続体であって、前記中心抗張力体の延在方向にのびる光ファイバ及び抗張力体の対を、前記中心抗張力体から所定の間隔で尚かつ前記中心抗張力体の周囲に複数配置した上でこれらを一括被覆することにより成り、該一括被覆により形成された被覆部の外周には、分離して前記分離後屋内用光ケーブルを得るための複数の外周側分離用ノッチと、分離後に前記分離後屋内用光ケーブルから前記光ファイバを取り出すための複数の心線取出用ノッチとが形成されることを特徴としている。
【０００６】
このような特徴を有する本発明によれば、一つの工程で屋内用光ケーブルを製造することができるようになる。すなわち、中心抗張力体と光ファイバと抗張力体とを配置して一括被覆により被覆部を形成する一つの工程で屋内用光ケーブルを製造することができるようになる。屋内用光ケーブルから分離して得られる分離後屋内用光ケーブルは、その分離前の配置状態が中心抗張力体に対して平行な配置状態になることから、分離後屋内用光ケーブルの取り出しを容易に行うことができるようになる。
【０００７】
請求項２記載の本発明の屋内用光ケーブルは、請求項１に記載の屋内用光ケーブルにおいて、前記被覆部の内周は、前記中心抗張力体との間に空間を形成するような溝を有し、該溝は、分離後の前記分離後屋内用光ケーブルに対する内周側分離用ノッチとしての機能を有することを特徴としている。
【０００８】
このような特徴を有する本発明によれば、分離後屋内用光ケーブルの分離後、光ファイバを取り出す際に、溝が内周側分離用ノッチとして機能する。
【発明の効果】
【０００９】
請求項１に記載された本発明によれば、製造性がよく安価で分岐し易い屋内用光ケーブルを提供することができるという効果を奏する。また、このような屋内用光ケーブルにより、マンション等の光化を促進することができるという効果を奏する。
【００１０】
請求項２に記載された本発明によれば、光ファイバの取り出しを一層容易にすることができるという効果を奏する。
【発明を実施するための最良の形態】
【００１１】
以下、図面を参照しながら説明する。
図１（ａ）は本発明の屋内用光ケーブルの一実施の形態を示す断面図、（ｂ）は分離後屋内用光ケーブルの断面図である。
【００１２】
図１において、引用符号１１は本発明の屋内用光ケーブルを示している。その本発明の屋内用光ケーブル１１は、中心抗張力体１２と分離前屋内用光ケーブル集合体１３とを備えて構成されている。また、本発明の屋内用光ケーブル１１は、分離することにより分離後屋内用光ケーブル１４を取り出すことができるように構成されている。以下、各構成部材について説明する。
【００１３】
中心抗張力体１２は、本発明の屋内用光ケーブル１１の中心に配置される抗張力体であって、鋼線などのこの技術分野において通常用いられるものが適用されている。中心抗張力体１２は、適切な強度を保持しつつ必要な外径を有するように形成されている。
【００１４】
分離前屋内用光ケーブル集合体１３は、分離すると分離後屋内用光ケーブル１４となるものの連続体であって、中心抗張力体１２の周囲に設けられている。本形態の分離前屋内用光ケーブル集合体１３は、特に限定するものではないが、中心抗張力体１２の周囲に分離後屋内用光ケーブル１４を四つ連続させた形状に形成されている。図中の仮想線は分離部分１５を示している。
【００１５】
本発明の屋内用光ケーブル１１は、中心抗張力体１２の延在方向にのびる光ファイバ１６及び抗張力体１７の対を、中心抗張力体１２から所定の間隔で尚かつ中心抗張力体１２の周囲に複数配置した上で、これら中心抗張力体１２及び前記複数の対を一括被覆することにより製造されている。すなわち、中心抗張力体１２と光ファイバ１６と抗張力体１７とを配置して一括被覆により被覆部１８を形成するという一つの工程で製造されている（図２の従来例のような撚り合わせは行わない）。
【００１６】
前記一括被覆により形成された被覆部１８の外周には、分離して分離後屋内用光ケーブル１４を得るための複数の外周側分離用ノッチ１９と、分離後に分離後屋内用光ケーブル１４から光ファイバ１６を取り出すための複数の心線取出用ノッチ２０とが形成されている。被覆部１８は、例えばポリ塩化ビニル（ＰＶＣ）により形成されている。
【００１７】
光ファイバ１６は、既知のコードやテープ心線や単心線などであり、中心抗張力体１２に対して略平行に配置されている。抗張力体１７は、外部からの線軸方向の張力に対抗して光ファイバ１６の伸びを抑制するものであって、光ファイバ１６の両側に配置されている。抗張力体１７は、鋼線などのこの技術分野において通常用いられるものが適用されている。
【００１８】
外周側分離用ノッチ１９及び心線取出用ノッチ２０は、特に形状を限定するものではないが、Ｖ字状の溝形状に形成されている。外周側分離用ノッチ１９は、分離部分１５にその最奥部が位置するように配置形成されている。外周側分離用ノッチ１９の最奥部から中心抗張力体１２までの長さは、光ファイバ１６及び抗張力体１７の前記対と中心抗張力体１２との前記所定の間隔よりも短くなるように設定されている。これは分離し易くするためである。尚、分離し易くなれば前記設定の長さに限らないものとする。
【００１９】
心線取出用ノッチ２０は、中心抗張力体１２から光ファイバ１６を通る図示しない放射線上にその最奥部が位置するように配置形成されている。本形態における心線取出用ノッチ２０は、外周側分離用ノッチ１９による分離が行われない場合に、光ファイバ１６の取り出しが不能となるように形成されている。
【００２０】
被覆部１８の内周には、中心抗張力体１２との間に空間２１を形成するような溝２２が複数形成されている。その溝２２は、本形態においてＶ字状であって、前記図示しない放射線上に最奥部が位置するように配置形成されている。溝２２は、本発明の屋内用光ケーブル１１から分離した後の分離後屋内用光ケーブル１４に対する内周側分離用ノッチとして機能する。溝２２の設定は任意であるものとする。
【００２１】
上記構成において、例えばカッターなどの刃物で外周側分離用ノッチ１９の最奥部に切り込みを入れて、外周側分離用ノッチ１９を押し開くようにすると、分離後屋内用光ケーブル１４の分離が完了する。分離後屋内用光ケーブル１４は、中心抗張力体１２の前記延在方向に対して並列に配置されることから、撚り合わせのある従来例の屋内用光ケーブル１（図１参照）と比べて容易に分離することができる。
【００２２】
分離後屋内用光ケーブル１４は、例えばカッターなどの刃物で心線取出用ノッチ２０の最奥部に切り込みを入れて、心線取出用ノッチ２０を押し開くようにすると、光ファイバ１６の取り出しが完了する（刃物なしでも取り出しは当然に可能であるものとする）。
【００２３】
以上、図１を参照しながら説明してきたように、本発明の屋内用光ケーブル１１は、製造性がよく安価で分岐し易いものである。このような屋内用光ケーブル１１を用いることによって、マンション等の光化を促進することができる。
【００２４】
その他、本発明は本発明の主旨を変えない範囲で種々変更実施可能なことは勿論である。
【図面の簡単な説明】
【００２５】
【図１】（ａ）は本発明の屋内用光ケーブルの一実施の形態を示す断面図、（ｂ）は分離後屋内用光ケーブルの断面図である。
【図２】従来例の屋内用光ケーブルの構成説明図である。
【符号の説明】
【００２６】
１１  屋内用光ケーブル
１２  中心抗張力体
１３  分離前屋内用光ケーブル集合体
１４  分離後屋内用光ケーブル
１５  分離部分
１６  光ファイバ
１７  抗張力体
１８  被覆部
１９  外周側分離用ノッチ
２０  心線取出用ノッチ
２１  空間
２２  溝（内周側分離用ノッチ）
【図１】
2006078815.tif 000003
【図２】
2006078815.tif 000004